(57)【特許請求の範囲】
【請求項１】
端子部を有するケーブルにおける該端子部に対し電気的に接続される可動接点部、および、円弧部と、該円弧部に連なる斜面部とを少なくとも含んでなる係合部が形成される固定部を有するコンタクト端子を有するとともに、該ケーブルの端子部が通過する開口部に連通し該ケーブルの一端を収容するケーブル収容部と、
前記ケーブル収容部に回動可能に配され、前記ケーブル収容部内に挿入された前記ケーブルの端子部の電極部を前記各コンタクト端子の可動接点部に対しロック状態またはアンロック状態とする平坦面および押圧面部を含む押圧部を各コンタクト端子に対応して有するアクチュエータ部材と、を備え、
前記アクチュエータ部材が前記アンロック状態から前記ロック状態にする場合、該アクチュエータ部材の押圧部の平坦面が前記コンタクト端子の係合部の円弧部の端に当接した状態である、該アクチュエータ部材の押圧部の回転中心の前記コンタクト端子の固定部における係合部の該円弧部および斜面部に対する初期の相対位置が、該アクチュエータ部材の回動と共に、前記コンタクト端子における可動接点部の前記ケーブルの厚さ方向に沿った真上の位置である回転終了時におけるその回転中心の該係合部の該円弧部および斜面部に対する相対位置に向かって該円弧部および斜面部に沿って前記初期の相対位置よりも前記開口部側に移動し、
前記アクチュエータ部材が前記ロック状態とするとき、前記コンタクト端子における可動接点部の前記ケーブルの厚さ方向に沿った真上の位置に該アクチュエータ部材の押圧部の回転中心があり、前記押圧面部の作用点が該可動接点部の位置よりも前記ケーブル収容部の内壁に近いことを特徴とするケーブル用コネクタ。
【請求項２】
前記押圧面部と前記ケーブルの一端との当接位置は、前記アクチュエータ部材の押圧部の回転中心の前記コンタクト端子の固定部の係合部における円弧部および斜面部に対する相対位置よりも前記ケーブル収容部の内壁に近いことを特徴とする請求項１記載のケーブル用コネクタ。
【請求項３】
前記コンタクト端子は、前記アクチュエータ部材の押圧部の平坦面に接触する平坦部を凹面部に連なる先端部に有することを特徴とする請求項１または請求項２記載のケーブル用コネクタ。
【請求項４】
前記コンタクト端子は、複数のコンタクト端子の平行面間のキャパシタンスを低減すべく、前記可動接点部と前記固定部とを連結する部分近傍に開口部を有することを特徴とする請求項１または請求項２記載のケーブル用コネクタ。
【発明の詳細な説明】
【技術分野】
【０００１】
本発明は、ケーブルの一端を配線基板に電気的に接続するケーブル用コネクタに関する。
【背景技術】
【０００２】
電子機器内部における電装部品相互間の電気的接続を行うにあたり、ケーブル用コネクタが実用に供されている。ケーブル用コネクタは、例えば、フラットケーブル（ＦＦＣ：flexible flat cable）、または、フレキシブル配線基板（ＦＰＣ；flexible printed circuit）を介してプリント配線基板に電装品を電気的に接続するものとされる。ケーブル
用コネクタは、ケーブルの固定方法が互いに異なる例えば、ロータリ式あるいはスライド式が実用に供されている。ロータリ式のケーブル用コネクタは、例えば、特許文献１乃至４にも示されるように、プリント配線基板上に配されケーブル収容部を有するコネクタ本体部と、コネクタ本体部におけるケーブル収容部に設けられプリント配線基板の電極部とフレキシブル配線基板の端子部とを電気的に接続する複数のコンタクト端子と、コネクタ本体部に対し回動可能に支持されフレキシブル配線基板の端子部のコンタクト端子の接点部に対する着脱を行うアクチュエータ部材とを含んで構成されている。
【０００３】
コネクタ本体部は、接続されるべきフレキシブル配線基板の端子部が通過する挿入口を一方の端部に有している。その挿入口は、コネクタ本体部の内部に形成されるケーブル収容部に連通している。ケーブル収容部は、コネクタ本体部の内壁により囲まれ形成されている。コネクタ本体部のケーブル収容部の上部を形成する切欠部内には、アクチュエータ部材の基端部の両端がそれぞれ回動可能に支持されている。アクチュエータ部材は、フレキシブル配線基板の端子部をその押圧面と各コンタクト端子の可動端子部とにより所定位置に挟持するロック状態の位置、または、フレキシブル配線基板の端子部を解放するアンロック状態の位置をとる。そのロック状態の位置においては、アクチュエータ部材は、その操作部がフレキシブル配線基板の端子部に対し近接し略平行となる姿勢をとる。一方、アクチュエータ部材は、アンロック状態の位置においては、ケーブル収容部の上部の切欠部を開放し、かつ、その操作部がフレキシブル配線基板に対し離隔され配線基板の端子部が形成される面に対し交差する姿勢をとり、上述のコネクタ本体部の切欠部を形成する壁面に当接するまで回動可能とされる。従って、アクチュエータ部材がアンロック状態の位置においてフレキシブル配線基板の着脱が行なわれるのでアクチュエータ部材の回動角度は、フレキシブル配線基板の着脱を容易とするために上述の挿入口の開口量を大とするように比較的大に設定されることが要望される。
【０００４】
アクチュエータ部材は、ケーブル収容部に対向する部分の一端にフレキシブル配線基板の裏板部に当接しつつ裏板部を後述するコンタクト端子の接点部に向けて押圧する押圧面部を有している。
【０００５】
複数のコンタクト端子は、フレキシブル配線基板の端子部における電極部の配列に対応してケーブル収容部内に配列されている。各コンタクト端子は、プリント配線基板の端子部に半田付固定される固定端子部と、二股状に形成されるストッパ部および可動端子部と、その固定端子部とストッパ部および可動端子部の合流部とを連結する連結部とを含んで構成されている。
【０００６】
各コンタクト端子のストッパ部の先端は、例えば、アクチュエータ部材の凹部に臨むように配置されている。可動端子部は、先端にフレキシブル配線基板の電極部に電気的に接続される接点部を有している。
【０００７】
その連結部は、コネクタ本体部のケーブル収容部に隣接して形成されるスリットに圧入されることにより、コネクタ本体部に固定されている。
【０００８】
かかる構成において、フレキシブル配線基板の端子部を各コンタクト端子の接点部に電気的に接続するにあたっては、挿入口を通じてフレキシブル配線基板の端子部がケーブル収容部の後方側を形成する後部壁部近傍位置まで挿入された後、アクチュエータ部材の先端が所定のロック状態となる方向に回動される。従って、フレキシブル配線基板の端子部は、アクチュエータ部材の押圧面によりコンタクト端子の可動端子部の接点部に対し押圧されかつ保持され、電気的に接続されることとなる。その際、フレキシブル配線基板の端子部は、アクチュエータ部材の押圧面と弾性変位した各コンタクト端子の可動端子部とにより挟持されることとなる。
【０００９】
【特許文献１】特開２００１−３５７９２０号公報
【特許文献２】特許第３５７９８２７号明細書
【特許文献３】特許第２６９２０５５号明細書
【特許文献４】特開２００２−２８９２８４号公報
【発明の開示】
【発明が解決しようとする課題】
【００１０】
上述のようなフレキシブル配線基板における一方側の端子部がケーブル用コネクタに接続され、そのフレキシブル配線基板における他方側の端子部が、電子機器内部に移動可能に配される電装品に接続される場合、例えば、その電装品が繰り返し往復移動することにより、フレキシブル配線基板における一方側の端子部に引張力または曲げモーメントが所定値以上に作用する場合がある。斯かる場合、フレキシブル配線基板における一方側の端子部に作用する引張力または曲げモーメントに起因して、アクチュエータ部材が不所望にロック状態からアンロック状態とされ、フレキシブル配線基板における一方側の端子部がケーブル用コネクタから外れる虞がある。
【００１１】
以上の問題点を考慮し、本発明はケーブルの一端を配線基板に電気的に接続するケーブル用コネクタであって、フレキシブル配線基板における一方側の端子部に引張力または曲げモーメントが所定値以上に作用した場合であってもフレキシブル配線基板の端子部がケーブル用コネクタから外れることなく、しかも、挿入口の開口量を十分に確保できるケーブル用コネクタを提供することを目的とする。
【課題を解決するための手段】
【００１２】
上述の目的を達成するために、本発明に係るケーブル用コネクタは、端子部を有するケーブルにおける端子部に対し電気的に接続される可動接点部、および、円弧部と、円弧部に連なる斜面部とを少なくとも含んでなる係合部が形成される固定部を有するコンタクト端子を有するとともに、ケーブルの端子部が通過する開口部に連通しケーブルの一端を収容するケーブル収容部と、ケーブル収容部に回動可能に配され、ケーブル収容部内に挿入されたケーブルの端子部の電極部を各コンタクト端子の可動接点部に対しロック状態またはアンロック状態とする平坦面および押圧面部を含む押圧部を各コンタクト端子に対応して有するアクチュエータ部材と、を備え、アクチュエータ部材がアンロック状態からロック状態にする場合、アクチュエータ部材の押圧部の平坦面がコンタクト端子の係合部の円弧部の端に当接した状態である、アクチュエータ部材の押圧部の回転中心のコンタクト端子の固定部における係合部の円弧部および斜面部に対する初期の相対位置が、アクチュエータ部材の回動と共に、コンタクト端子における可動接点部のケーブルの厚さ方向に沿った真上の位置である回転終了時におけるその回転中心の係合部の円弧部および斜面部に対する相対位置に向かって円弧部および斜面部に沿って初期の相対位置よりも開口部側に移動し、アクチュエータ部材がロック状態とするとき、コンタクト端子における可動接点部のケーブルの厚さ方向に沿った真上の位置にアクチュエータ部材の押圧部の回転中心があり、押圧面部の作用点が可動接点部の位置よりもケーブル収容部の内壁に近いことを特徴とする。
【００１３】
また、本発明に係るケーブル用コネクタは、押圧面部とケーブルの一端との当接位置は、アクチュエータ部材の押圧部の回転中心のコンタクト端子の固定部の係合部に対する相対位置よりもケーブル収容部の内壁に近くてもよい。
【発明の効果】
【００１４】
以上の説明から明らかなように、本発明に係るケーブル用コネクタによれば、アクチュエータ部材がアンロック状態からロック状態にする場合、アクチュエータ部材の押圧部の平坦面がコンタクト端子の係合部の円弧部の端に当接した状態である、アクチュエータ部材の押圧部の回転中心のコンタクト端子の固定部の係合部における円弧部および斜面部に対する初期の相対位置が、アクチュエータ部材の回動と共に、回転終了時におけるその回転中心の係合部に対する相対位置に向かって円弧部および斜面部に沿って初期の位置よりも開口部側に移動し、アクチュエータ部材がロック状態とするとき、コンタクト端子における可動接点部のケーブルの厚さ方向に沿った真上の位置にアクチュエータ部材の押圧部の回転中心があり、押圧面部の作用点が可動接点部の位置よりもケーブル収容部の内壁に近いのでフレキシブル配線基板における一方側の端子部に引張力または曲げモーメントが所定値以上に作用した場合であってもフレキシブル配線基板の端子部がケーブル用コネクタから外れることなく、しかも、挿入口の開口量を十分に確保できる。
【発明を実施するための最良の形態】
【００１５】
図３および図４は、それぞれ、本発明に係るケーブル用コネクタの一例の外観を示す。
【００１６】
図３において、ケーブル用コネクタは、プリント配線基板２上に配されケーブル収容部４Ａを有するコネクタ本体部４と、コネクタ本体部４におけるケーブル収容部４Ａ（図５参照）に設けられプリント配線基板２の電極部とケーブルとしてのフレキシブル配線基板６の端子部の電極部とを電気的に接続する複数のコンタクト端子１０ａｉ（ｉ＝１〜ｎ，ｎは正の整数）（図６参照）と、コネクタ本体部４の両側壁部４ＷＲおよび４ＷＬに対し回動可能に支持されフレキシブル配線基板６の端子部のコンタクト端子１０ａｉの接点部に対する固定または解放を行うアクチュエータ部材８と、を含んで構成されている。
【００１７】
フレキシブル配線基板６は、例えば、ＹＦＬＥＸ（登録商標）と称され、保護層に覆われた複数の導電層が絶縁性基材上に形成された構成とされる。絶縁性基材は、例えば、厚さ５０μｍ程度のガラスエポキシ樹脂、ポリイミド（ＰＩ）、ポリエチレンテレフタレート（ＰＥＴ）、あるいは、ポリエーテルイミド（ＰＥＩ）からなる群の中から適宜選択される一つの材料で成形されている。また、導電層は、例えば、厚さ１２μｍ程度の銅合金の層で形成されている。保護層は、例えば、熱硬化型のレジスト層、あるいは、ポリイミドフィルムにより形成されている。
【００１８】
フレキシブル配線基板６において接続される一端の一方の表面には、裏板６Ｂが設けられている。板状の裏板６Ｂは、例えば、ポリブチレンテレフタレート（ＰＢＴ）で所定の厚さに作られている。なお、裏板６Ｂは、フレキシブル配線基板の着脱を容易にするために操作部を有していてもよい。
【００１９】
フレキシブル配線基板６の一端の他方の表面（裏板６Ｂに対向する面）には、例えば、端子部としての複数個の幅０．３ｍｍの電極により構成される電極群６Ｅが形成されている。隣接する各電極は、例えば、約０．５ｍｍの相互間隔で形成されている。電極群６Ｅは、フレキシブル配線基板６の内部の導電層に電気的に接続されている。
【００２０】
例えば、樹脂で成形されるコネクタ本体部４のケーブル収容部４Ａは、図２および図６に示されるように、フレキシブル配線基板６の電極群６Ｅおよび裏板６Ｂが通過する開口部４ＡＰを一方の端部に有している。ケーブル収容部４Ａの内側の他方の端部には、挿入されたフレキシブル配線基板６の裏板６Ｂの端面が当接することにより、電極群６Ｅの接点部１０ａに対する位置決めをする内壁４ａが形成されている。なお、本実施例においては、内壁４ａにより電極群６Ｅの接点部１０ａに対する位置決めを行なっているが、斯かる例に限られることなく、例えば、別体の位置決め部材を形成し、その部材をケーブル収容部４Ａの内側に設けるようにしてもよい。
【００２１】
開口部４ＡＰの周縁部に形成される側壁部４ＷＲおよび４ＷＬの内側には、図２に示されるように、フレキシブル配線基板６の裏板６Ｂの側部が案内される案内溝４ＫＧが形成されている。
【００２２】
また、側壁部４ＷＲおよび４ＷＬには、それぞれ、図８に示されるように、アクチュエータ部材８の両端に形成される支持軸８Ｊが回動可能に挿入される切欠部が形成されている。各切欠部の内側には、その支持軸を受ける軸受部４ＢＥが形成されている。切欠部の周縁には、図７に拡大されて示されるように、溝４Ｇが形成されている。溝４Ｇには、支持軸８Ｊを回動可能に軸受部４ＢＥに対し保持する固定具１２が挿入される。固定具１２は、支持軸８Ｊの端部が挿入され規制される孔１２Ｈを有している。
【００２３】
コネクタ本体部４の背面部を形成する壁部には、図５に示されるように、後述する各コンタクト端子１０ａｉの連結部１０Ｃが圧入されるスリット４Ｓが複数個形成されている。各スリットは、所定の相互間隔でコネクタ本体部４の長手方向に沿って形成され、ケーブル収容部４Ａ内に連通している。スリット４Ｓは、ケーブル収容部４Ａ側に向かう前方でその底壁に対し略平行に形成される仕切壁により、図１に示されるように、その合流部からスリット４ｅとスリット４ｄとにより分岐されている。スリット４ｄには、コンタクト端子１０ａｉの可動端子部１０Ａが挿入され、また、スリット４ｅには、コンタクト端子１０ａｉの固定部１０Ｂが圧入される。スリット４ｅの一端が開口する開口部４ＡＰの上縁を形成する部分には、後述するアクチュエータ部材８が解放状態の位置のとき、アクチュエータ部材８の表面が斜めの姿勢で当接する斜面部４ＳＬが形成されている（図８参照）。
【００２４】
フレキシブル配線基板６の電極群６Ｅにおける電極の配列に対応してケーブル収容部４Ａ内に配列される各コンタクト端子１０ａｉは、図１に拡大されて示されるように、半田付固定により、プリント配線基板２の導電層としての電極パッドに電気的に接続される半田付固定部１０Ｓと、フレキシブル配線基板６の電極群６Ｅに電気的に接続される接点部１０ａを有する可動接点部１０Ａと、コネクタ本体部４のスリット４ｅに圧入され、後述するアクチュエータ８の押圧部８Ａを回動可能に支持する係合部を有する固定部１０Ｂと、可動接点部１０Ａおよび固定部１０Ｂの合流部と半田付固定部１０Ｓとを連結する連結部１０Ｃとを含んで構成されている。
【００２５】
薄板金属材料で作られる可動接点部１０Ａと固定部１０Ｂとは、二股状に形成されている。固定部１０Ｂにおける可動接点部１０Ａの接点部１０ａに対向する部分には、後述するアクチュエータ８の押圧部８Ａを回動可能に支持する係合部が形成されている。
【００２６】
その係合部は、図１に拡大されて示されるように、固定部１０Ｂの先端に形成される平坦面部１０Ｇｅと、平坦面部１０Ｇｅに連なる円弧部１０Ｇｂと、円弧部１０Ｇｂに連なり所定の勾配を有する斜面部１０Ｇａとから形成されている。平坦面部１０Ｇｅは、後述するアクチュエータ８の押圧部８Ａの平坦面８ａが通過するような対応した位置に形成されている。円弧部１０Ｇｂは、図１においてその曲率中心を通る直線ＡＸがその真下に位置する接点部１０ａを通過するように形成されている。
【００２７】
連結部１０Ｃと連結される部分と固定部１０Ｂにおける係合部との間には、圧入のとき、仕切壁に係合する爪部１０ｎが形成されている。
【００２８】
連結部１０Ｃには、略正方形の開口部１０Ｈが形成されている。開口部１０Ｈは、隣接するコンタクト端子１０ａｉ相互間のキャパシタンスを低減するために設けられている。即ち、開口部１０Ｈが設けられる場合、隣接して対向配置されるコンタクト端子１０ａｉ相互間において、重なり合う共通の部分の面積が開口部１０Ｈが設けられない場合に比して小となるので隣接するコンタクト端子１０ａｉの平行面間のキャパシタンスがより低減されることとなるからである。
【００２９】
なお、コンタクト端子１０ａｉの形状は、斯かる例に限られることなく、例えば、図１７に示されるような形状を有するコンタクト端子２０ａｉが用いられてもよい。
【００３０】
コンタクト端子２０ａｉは、半田付固定により、プリント配線基板２の導電層としての電極パッドに電気的に接続される半田付固定部２０Ｓと、フレキシブル配線基板６の電極群６Ｅに電気的に接続される接点部２０ａを有する可動接点部２０Ａと、コネクタ本体部４のスリット４ｅに圧入され、後述するアクチュエータ８の押圧部８Ａを回動可能に支持する係合部を有する固定部２０Ｂと、可動接点部２０Ａおよび固定部２０Ｂの合流部と半田付固定部２０Ｓとを連結する連結部２０Ｃとを含んで構成されている。図１７においては、複数個のコンタクト端子２０ａｉのうちの１個のコンタクト端子２０ａｉを示す。
【００３１】
薄板金属材料で作られる可動接点部２０Ａと固定部２０Ｂとは、二股状に形成されている。固定部２０Ｂにおける可動接点部２０Ａの接点部２０ａに対向する部分には、後述するアクチュエータ８の押圧部８Ａを回動可能に支持する係合部が形成されている。
【００３２】
その係合部は、固定部２０Ｂの先端に形成される平坦面部２０Ｇｅと、平坦面部２０Ｇｅに連なる円弧部２０Ｇｂと、円弧部２０Ｇｂに連なり所定の勾配を有する斜面部２０Ｇａとから形成されている。平坦面部２０Ｇｅは、後述するアクチュエータ８の押圧部８Ａの平坦面８ａが通過するような対応した位置に形成されている。円弧部２０Ｇｂの端から延在する平坦面部２０Ｇｅの長さは、上述のコンタクト端子１０ａｉにおいてそれに相当する長さに比べて長くなるように設定されている。これにより、フレキシブル配線基板６が装着される場合、アクチュエータ８の各押圧部８Ａにおけるその係合部に対する係合が全体にわたってより確実となる。
【００３３】
円弧部２０Ｇｂは、図１７においてその曲率中心を通る直線がその真下に位置する接点部２０ａを通過するように形成されている。
【００３４】
連結部２０Ｃと連結される部分と固定部２０Ｂにおける係合部との間には、圧入のとき、仕切壁に係合する爪部２０ｎが形成されている。
【００３５】
連結部２０Ｃ、および、固定部２０Ｂには、複数の開口部２０Ｈａ，２０Ｈｂ，２０Ｈｃ，２０Ｈｄおよび２０Ｈｅが形成されている。開口部２０Ｈａ〜２０Ｈｅは、隣接するコンタクト端子２０ａｉ相互間のキャパシタンスを低減するために設けられている。即ち、開口部２０Ｈａ〜２０Ｈｅが設けられる場合、隣接して対向配置されるコンタクト端子２０ａｉ相互間において、重なり合う共通の部分の面積が開口部２０Ｈａ〜２０Ｈｅが設けられない場合に比して小となるので隣接するコンタクト端子２０ａｉの平行面間のキャパシタンスがより低減されることとなるからである。
【００３６】
例えば、樹脂で成形されるアクチュエータ部材８の中間部分には、図８に示されるように、コネクタ本体部４の各スリット４ｅに対向してスリット８Ｓが長手方向に沿って複数個形成されている。隣接するスリット８Ｓ相互間は、隔壁により仕切られている。各スリット８Ｓ内には、その隣接する隔壁を連結するように押圧部８Ａが形成されている。押圧部８Ａの外周部は、図１に示されるように、相対向して形成される平坦面８ａおよび８ｂと、アクチュエータ部材８がロック状態のとき、フレキシブル配線基板６の裏板６Ｂを押圧する押圧面部８ｃと、上述のコンタクト端子１０ａｉの円弧部１０Ｇｂと、円弧部１０Ｇｂに連なり所定の勾配を有する斜面部１０Ｇａに係合される摺接面部８ｄとから形成されている。図１において、押圧部８Ａは、その平坦面８ａおよび８ｂがアクチュエータ部材８の外周面に対し所定の角度θをなすように形成されている。
【００３７】
アクチュエータ部材８におけるスリット８Ｓの配列方向に対し直交する方向の両端には、上述のコネクタ本体部４の軸受部４ＢＥにそれぞれ回動可能に支持される支持軸８Ｊが形成されている。支持軸８Ｊは、アクチュエータ部材８の短辺における一方側であって押圧部８Ａと共通の中心軸線上に一体に形成されている。また、支持軸８Ｊは、軸受部４ＢＥ上に載置され、固定具１２の孔１２Ｈに回動可能に挿入されている。
【００３８】
アクチュエータ部材８の各短辺における他方側には、アクチュエータ部材８の長手方向に沿って各短辺を連結する操作部が延在している。
【００３９】
これにより、コネクタ本体部４の軸受部４ＢＥを介して回動可能に支持されるアクチュエータ部材８は、フレキシブル配線基板６の端子部を、図６に示されるように、押圧面部８ｃと各コンタクト端子１０ａｉの可動端子部１０Ａとにより挟持するロック状態の位置、および、図２に示されるように、フレキシブル配線基板６の端子部を解放するアンロック状態の位置をとる。即ち、そのロック状態の位置においては、アクチュエータ部材８は、フレキシブル配線基板６の端子部に対し略平行となる姿勢をとり、一方、アンロック状態の位置においては、アクチュエータ部材８は、ケーブル収容部４Ａの開口部４ＡＰを開放し、かつ、フレキシブル配線基板６の端子部が形成される面に交差する姿勢をとり、コネクタ本体部４の斜面部４ＳＬに当接するまで回動可能とされる。
【００４０】
また、アクチュエータ部材８および複数のコンタクト端子１０ａｉをコネクタ本体部４の所定の位置に組み付けるにあたっては、第１の方法として、先ず、アクチュエータ部材８の各支持軸８Ｊが軸受部４ＢＥ上に載置された後、固定具１２の外周縁が溝４Ｇに挿入される。次に、アクチュエータ部材８が上述のアンロック状態の位置（図２参照）に配された後、図１０（Ａ）の矢印の示す方向に沿って、コンタクト端子１０ａｉがスリット４Ｓを介して可動接点部１０Ａおよび固定部１０Ｂの先端側からコネクタ本体部４内に圧入される。その際、図１０（Ｂ）に示されるように、アクチュエータ部材８の押圧部８Ａの平坦面８ａおよび８ｂは、コンタクト端子１０ａｉの平坦面部１０Ｇｅと共通の平面上に配置されることとなる。
【００４１】
続いて、図１０（Ｃ）に示されるように、コンタクト端子１０ａｉの平坦面部１０Ｇｅが同一方向にさらに圧入される。その際、干渉防止用の逃げとしても機能するコンタクト端子１０ａｉの円弧部１０Ｇｂがあるのでアクチュエータ部材８の押圧部８Ａの平坦面８ａに干渉することなく円滑に係合される。そして、図１０（Ｄ）に示されるように、コンタクト端子１０ａｉの平坦面部１０Ｇｅが同一方向にさらに押し込まれることによって、摺接面部８ｄが斜面部１０Ｇａに当接することにより、コンタクト端子１０ａｉのコネクタ本体部４への取り付けが完了する。従って、コンタクト端子１０ａｉのコネクタ本体部４への取り付けのとき、アクチュエータ部材８の押圧部８Ａがコンタクト端子１０ａｉの先端により過度に削られる虞がない。
【００４２】
アクチュエータ部材８および複数のコンタクト端子１０ａｉをコネクタ本体部４の所定の位置に組み付けるにあたり、第２の方法としては、図１５（Ａ）〜１５（Ｄ）に示されるように、先ず、アクチュエータ部材８の各支持軸８Ｊが軸受部４ＢＥ上に載置された後、固定具１２の外周縁が溝４Ｇに挿入される。次に、アクチュエータ部材８が上述のロック状態の位置（図１１および図１２参照）に配された後、図１５（Ａ）の矢印の示す方向に沿って、コンタクト端子１０ａｉがスリット４Ｓを介して可動接点部１０Ａおよび固定部１０Ｂの先端側からコネクタ本体部４内に圧入される。その際、アクチュエータ部材８の押圧部８Ａの摺接面部８ｄの位置は、図１５（Ｂ）または、図１４に拡大されて示されるように、コンタクト端子１０ａｉの平坦面部１０Ｇｅを含む共通の平面に対して所定の隙間ＣＬがあるように設定されることとなる。
【００４３】
続いて、図１５（Ｃ）に示されるように、コンタクト端子１０ａｉの平坦面部１０Ｇｅが同一方向にさらに圧入される。その際、干渉防止用の逃げとしても機能するコンタクト端子１０ａｉの円弧部１０Ｇｂがあるのでアクチュエータ部材８の押圧部８Ａに干渉することなく円滑に係合される。そして、図１３、図１５（Ｄ）に示されるように、コンタクト端子１０ａｉの平坦面部１０Ｇｅが同一方向にさらに押し込まれることによって、摺接面部８ｄが斜面部１０Ｇａに当接することにより、コンタクト端子１０ａｉのコネクタ本体部４への取り付けが完了する。従って、上述の第１の方法の場合と同様に、コンタクト端子１０ａｉのコネクタ本体部４への取り付けのとき、アクチュエータ部材８の押圧部８Ａがコンタクト端子１０ａｉの先端により過度に削られる虞がない。即ち、アクチュエータ部材８がアンロック状態の位置、あるいは、ロック状態の位置にあってもコンタクト端子１０ａｉのコネクタ本体部４への取り付けが容易に行なえることとなる。
【００４４】
斯かる構成において、フレキシブル配線基板６の電極群６Ｅ（裏板部６Ｂ）をコネクタ本体部４における各コンタクト端子１０ａｉの接点部１０ａに電気的に接続するにあたっては、図９（Ａ）および図１６（Ａ）に示されるように、アクチュエータ部材８がアンロック状態の位置において、開口部４ＡＰを通じてフレキシブル配線基板６の裏板部６Ｂの先端がケーブル収容部４Ａの後方側を形成する内壁４ａに当接するまで挿入される。その後、アクチュエータ部材８の操作部が図９（Ｂ）において矢印の示す反時計回り方向、即ち、ロック状態となる方向に回動される。
【００４５】
その際、回動されるアクチュエータ部材８の摺接面部８ｄがコンタクト端子１０ａｉの斜面部１０Ｇａに沿って摺接しつつ案内されるので押圧部８Ａの平坦面８ｂが回転しつつ前方に向けて裏板部６Ｂに当接するまで若干移動せしめられる。また、図１６（Ｂ）に示されるように、初期位置における押圧部８Ａの回転中心の係合部に対する相対位置Ｐ１が、回転終了時におけるその回転中心の係合部に対する相対位置Ｐ２に向かって所定の軌跡に従い移動し始める。
【００４６】
次に、アクチュエータ部材８の操作部が、図９（Ｃ）に示されるように、さらに同一の方向に回動されることにより、その押圧面部８ｃが回動しつつ裏板部６Ｂを接点部１０ａに向けて押圧する。そして、アクチュエータ部材８の操作部が、図９（Ｄ）および図１６（Ｃ）に示されるように、裏板部６Ｂの表面に近接するまでさらに回動されることにより、摺接面部８ｄが円弧部１０Ｇｂで支持され回動されるので押圧面部８ｃが裏板部６Ｂを介して真下にあるコンタクト端子１０ａｉの接点１０ａの位置よりも内壁４ａに近い位置までさらに回動し停止される。その際、押圧面部８ｃと裏板部６Ｂとの当接位置は、上述の押圧部８Ａの回転中心の係合部に対する相対位置Ｐ２およびＰ１よりも内壁４ａに近い位置とされる。
【００４７】
従って、フレキシブル配線基板６の電極群６Ｅは、アクチュエータ部材８の押圧面部８ｃによりコンタクト端子１０ａｉの可動端子部１０Ａの接点部１０ａに対し押圧されかつ保持され、電気的に接続されることとなる。フレキシブル配線基板６の裏板部６Ｂは、アクチュエータ部材８の押圧面部８ｃと弾性変位した各コンタクト端子１０ａｉの可動端子部１０Ａとにより挟持されることとなる。その際、コンタクト端子１０ａｉの接点１０ａの真上となる位置に押圧部８Ａの回転中心があり、また、押圧面部８ｃの作用点が接点１０ａの位置よりも内壁４ａに近い位置にあるのでフレキシブル配線基板６の他端に引張力または曲げモーメントが作用した場合であってもアクチュエータ部材８が時計回り方向に回動されることがなく、従って、フレキシブル配線基板６の一端がケーブル用コネクタから外れる虞がない。
【００４８】
さらに、押圧部８Ａの回転中心の係合部に対する相対位置Ｐ１が、回転終了時におけるその回転中心の係合部に対する相対位置Ｐ２に向かって所定の軌跡に従い移動するのでアクチュエータ部材８の開き角度を比較的大きく設定することができる。
【００４９】
一方、図９（Ｄ）に示される状態にあるフレキシブル配線基板６をコネクタ本体部４から取り外すにあたっては、アクチュエータ部材８の操作部が図９（Ｃ）において矢印の示す反時計回り方向とは反対の時計回り方向、即ち、アンロック状態となる方向に回動される。その際、回動されるアクチュエータ部材８の摺接面部８ｄがコンタクト端子１０ａｉの円弧部１０Ｇｂを中心に回動された後、押圧面部８ｃが裏板６Ｂから離隔されつつ、摺接面部８ｄが斜面部１０Ｇａに沿って摺接しつつ案内されるので押圧部８Ａの平坦面８ｂが回転しつつ裏板部６Ｂに近接するまで若干移動せしめられる。そして、図９（Ａ）に示されるように、アクチュエータ部材８の上面部がソケット本体部４の斜面部４ＳＬに当接せしめられる。従って、押圧部８Ａの平坦面８ｂが回転しつつ裏板部６Ｂに近接するまで若干移動せしめられるのでアクチュエータ部材８の開き度が従来の装置に比して増すこととなる。
【図面の簡単な説明】
【００５０】
【図１】本発明に係るケーブル用コネクタの一例における要部を概略的に示す断面図である。
【図２】本発明に係るケーブル用コネクタの一例における外観を示す斜視図である。
【図３】図２に示される例における平面図である。
【図４】図２に示される例における正面図である。
【図５】図４におけるＶ−Ｖ線に沿って示される断面図である。
【図６】図５において、フレキシブル配線基板の一端が接続された状態で示される断面図である。
【図７】図２において、ソケット本体部の一部を拡大して部分的に示す斜視図である。
【図８】図２に示されるケーブル用コネクタの一例の構成を分割して示す斜視図である。
【図９】（Ａ）、（Ｂ）、（Ｃ）、および（Ｄ）は、それぞれ、本発明に係るケーブル用コネクタの一例における動作説明に供される断面図である。
【図１０】（Ａ）、（Ｂ）、（Ｃ）、および（Ｄ）は、それぞれ、本発明に係るケーブル用コネクタの一例におけるコンタクト端子およびアクチュエータ部材の組み付け手順の説明に供される断面図である。
【図１１】図２に示される例における動作説明に供される斜視図である。
【図１２】図１１に示される状態におけるソケット本体部を示す側面図である。
【図１３】図１１におけるＸＩＩＩ−ＸＩＩＩ線に沿って示される断面図である。
【図１４】図１３において部分的に拡大された部分断面図である。
【図１５】（Ａ）、（Ｂ）、（Ｃ）、および（Ｄ）は、それぞれ、本発明に係るケーブル用コネクタの一例におけるコンタクト端子およびアクチュエータ部材の他の組み付け手順の説明に供される断面図である。
【図１６】（Ａ），（Ｂ）、および（Ｃ）は、それぞれ、本発明に係るケーブル用コネクタの一例における動作説明に供される部分拡大断面図である。
【図１７】本発明に係るケーブル用コネクタの一例において用いられる他のコンタクト端子を、ソケット本体部とともに示す断面図である。
【符号の説明】
【００５１】
２    プリント配線基板
４    ソケット本体部
６    フレキシブル配線基板
８    アクチュエータ部材
８Ａ    押圧部
１０ａｉ，２０ａｉ    コンタクト端子
１０ａ    接点部
１０Ｇｂ    円弧部
１０Ｇｅ    平坦部
１０Ｇａ    斜面部
【図１】
0004542525.tif 000002
【図２】
0004542525.tif 000003
【図３】
0004542525.tif 000004
【図４】
0004542525.tif 000005
【図５】
0004542525.tif 000006
【図６】
0004542525.tif 000007
【図７】
0004542525.tif 000008
【図８】
0004542525.tif 000009
【図９】
0004542525.tif 000010
【図１０】
0004542525.tif 000011
【図１１】
0004542525.tif 000012
【図１２】
0004542525.tif 000013
【図１３】
0004542525.tif 000014
【図１４】
0004542525.tif 000015
【図１５】
0004542525.tif 000016
【図１６】
0004542525.tif 000017
【図１７】
0004542525.tif 000018